(57)【特許請求の範囲】
【請求項１】
ハイヒールシューズを構造的に変更することなく前記ハイヒールシューズに装着されるハイヒールシューズ用の着脱式ウェッジヒールであって、
前記ハイヒールシューズの傾斜した靴底に対応する上部傾斜面と、
地面と接触するように前記上部傾斜面と交差する底面と、
前記上部傾斜面の上部から前記底面に向かって形成され、前記ハイヒールシューズのかかとが密着して挿入されるかかと挿入孔と、
前記上部傾斜面の下部の両側面に設けられて、前記ハイヒールシューズの靴底付近の両側面に接する一対の固定クリップと、
前記上部傾斜面に形成される滑り止め部とを含み、
前記かかと挿入孔の周辺が粘弾性材料からなり、前記ハイヒールシューズのかかとが前記かかと挿入孔に挿入される際、前記かかと挿入孔の内面が前記かかとの表面に密着し、
側面には麗しいデザインまたは色を演出するために剛性カバーを貼付け、前記剛性カバーの前記底面に隣接する一部の高さ領域が粘弾性材料からなることを特徴とする着脱式ウェッジヒール。
【請求項２】
前記一対の固定クリップは透明材料からなることを特徴とする請求項１に記載の着脱式ウェッジヒール。
【発明の詳細な説明】
【技術分野】
【０００１】
本発明は、ハイヒールシューズに適用される着脱式ウェッジヒールに関し、より詳細には、細くて高いかかとを有するハイヒールシューズに着脱式に結合できる着脱式ウェッジヒールに関する。
【背景技術】
【０００２】
細くて高いかかとを有する各種のシューズが存在する。近年、シューズのかかとの高さがより高くなる一方、かかとの幅はより狭くなっている。このように細くて高いかかとまたはこのようなかかとを含むシューズは、「ピンヒール（ｐｉｎ  ｈｅｅｌ）」、「キルヒール（ｋｉｌｌ  ｈｅｅｌ）」または「スティレットヒール（Ｓｔｉｌｅｔｔｏ  ｈｅｅｌ）」と称されている。本明細書の全般にわたり細くて高いかかとを含むシューズを「ハイヒールシューズ」と定義する。
【０００３】
ハイヒールシューズは、地面に接触するかかとの表面積が小さすぎるだけでなく、人のかかとを地面から遠ざける。そのため、地面からの集中荷重が細いかかとを介して着用者の足に伝わる。かかる理由により、着用者は、大きな不便と疲れを感じるようになる。しかし、多くの女性は、不便と疲れを承知の上でハイヒールシューズを愛用している。多くの働く女性は、室外ではハイヒールをそのまま履くが、室内、特に、職場などでは予め用意したスニーカーや相対的に楽なシューズに履き替える傾向にある。
【０００４】
一方、ピンヒール、キルヒール、スティレットヒールなどの細いかかとの代りにウェッジヒールをかかととして含むウェッジヒールシューズがある。このようなウェッジヒールシューズは、地面に接触するかかとの表面積が大きいため、高いかかとを有するにもかかわらず着用者が楽に履くことができる。しかし、このようなウェッジヒールシューズの利点にもかかわらず、キルヒールなどをかかととして含むハイヒールシューズに対する人気は依然として高い。
【発明の概要】
【発明が解決しようとする課題】
【０００５】
従来、着用者がハイヒールシューズをより楽に履けるようにするために、かかとの構造や形態を変更しようとする試みや研究が行われてきた。しかし、かかる試みや研究は、ハイヒールシューズ自体のデザインの変更を要求し、且つ非経済的であるため、消費者のニーズに応えることが困難であった。
【０００６】
本発明が解決しようとする一つの課題は、ハイヒールシューズを構造的に変更または変形しなくても、ハイヒールシューズに簡単に装着されてハイヒールシューズをウェッジヒールシューズとして利用できるようにする着脱式ウェッジヒールを提供することである。
【０００７】
本発明が解決しようとする他の課題は、特定のハイヒールシューズに調和して結合できるウェッジヒールを加工してカスタマイズする着脱式ウェッジヒールのカスタマイズ方法を提供することである。
【課題を解決するための手段】
【０００８】
本発明により、ハイヒールシューズ用の着脱式ウェッジヒールが提供される。前記ハイヒールシューズは、前記ハイヒールシューズの傾斜した靴底に対応する上部傾斜面と、前記上部傾斜面と交差して地面に接触する底面と、前記上部傾斜面の上部から前記底面に向かって形成され、前記ハイヒールシューズのかかとに密着して挿入されるかかと挿入孔と、を含むことを特徴とする。
【０００９】
前記かかとが前記かかと挿入孔に挿入されるものの密着しない場合を鑑みると、この場合にはハイヒールシューズを構造的に変更または変形しなくてはウェッジヒールとハイヒールシューズとを結合することができない。ハイヒールシューズとウェッジヒールとの間に追加の固定手段を導入するとしても、ウェッジヒールのかかと挿入孔にハイヒールのかかとが密着して挿入されることでかかと挿入孔とかかとが固定されることは必須である。
【００１０】
一実施例により、前記着脱式ウェッジヒールは、少なくとも前記かかと挿入孔の周辺が粘弾性材料からなる。
【００１１】
一実施例により、前記着脱式ウェッジヒールは、前記上部傾斜面の下部の両側面に設けられて、前記ハイヒールシューズの靴底付近の両側面に接する一対の固定クリップをさらに含むことができる。
【００１２】
一実施例により、前記一対の固定クリップは透明材料からなる。
【００１３】
一実施例により、前記着脱式ウェッジヒールは、前記上部傾斜面に形成される滑り止め部をさらに含むことができる。
【００１４】
本発明の他の側面により、ハイヒールシューズの形状を認識し、前記認識したハイヒールシューズの形状に応じて半製品を加工して着脱式ウェッジヒールを作製する着脱式ウェッジヒールのカスタマイズ方法が提供される。この際、前記着脱式ウェッジヒールは、前記ハイヒールシューズのかかとに密着して挿入されるかかと挿入孔を含む。
【００１５】
一実施例により、前記半製品には前記かかと挿入孔またはそれに対応する基本的な挿入孔が予め形成されており、前記半製品に表面加工を施して前記ハイヒールシューズの傾斜した靴底に対応する上部傾斜面を形成する。
【００１６】
一実施例により、前記表面加工は、レーザを用いて行われる。
【発明の効果】
【００１７】
本発明によれば、高くて細いかかとによって疲れと不便を感じさせるハイヒールシューズに着脱式ウェッジヒールを簡単な方式で結合することで、ハイヒールシューズを履き心地の良いウェッジヒールシューズに変形することができる。本発明に係る着脱式ウェッジヒールは、ハイヒールシューズ自体に対してはいかなる損傷や変更をもたらすことがないという利点を有する。着用者は、ウェッジヒールを取り付けるか分離することで、ハイヒールシューズとウェッジヒールシューズを都合よく選択して利用することができる。本発明は、ハイヒールシューズの形状に応じてウェッジヒールを簡単にカスタマイズできるという利点を提供する。
【図面の簡単な説明】
【００１８】
【図１】ハイヒールシューズを示す斜視図である。
【図２】図１のハイヒールシューズに本発明の一実施例による着脱式ウェッジヒールが結合した状態を示す斜視図である。
【図３】本発明の一実施例による着脱式ウェッジヒールを示す斜視図である。
【図４】本発明の一実施例による着脱式ウェッジヒールを示す側面図である。
【図５】本発明の一実施例による着脱式ウェッジヒールのカスタマイズ方法を説明するための図である。
【図６】図５の着脱式ウェッジヒールのカスタマイズ方法に用いられるウェッジヒール半製品の例を示す図である。
【発明を実施するための形態】
【００１９】
以下、添付の図面を参照して本発明の実施例について詳細に説明する。以下に開示する実施例は、当業者に本発明の思想を充分に伝達するために例として提供されるものである。したがって、本発明は、後述する実施例に限定されず、他の形態に具体化されることがある。また、図面において、同一の参照番号は同一の構成要素を示し、構成要素の幅、長さ、厚さなどは、便宜上、誇張されて表現されることがある。
【００２０】
図１はハイヒールシューズを示す斜視図であり、図２は図１のハイヒールシューズに本発明の一実施例による着脱式ウェッジヒールが結合した状態を示す斜視図であり、図３は本発明の一実施例による着脱式ウェッジヒールを示す斜視図であり、図４は本発明の一実施例による着脱式ウェッジヒールを示す側面図である。
【００２１】
図１を参照すると、ハイヒールシューズ１０は、「ピンヒール（ｐｉｎ  ｈｅｅｌ）」、「キルヒール（ｋｉｌｌ  ｈｅｅｌ）」または「スティレットヒール（Ｓｔｉｌｅｔｔｏ  ｈｅｅｌ）」と称される高くて細いかかと１２を含む。また、ハイヒールシューズ１０は、かかと１２の上端付近からつま先付近まで下に向かって傾斜してつながる傾斜した靴底１４を含む。人がハイヒールシューズ１０を履くと、前記傾斜した靴底１４は、地面とほぼ接触することなく地面との間に略三角形の空間を形成する。上述したように、ハイヒールシューズ１０の細くて高いかかと１２は、地面との小さい接触面積によって足裏に集中荷重を加えるため、着用者に大きな不便と疲れを感じさせる。
【００２２】
図２を参照すると、本発明の一実施例による着脱式ウェッジヒール２０がハイヒールシューズ１０に結合している。前記着脱式ウェッジヒール２０の結合により、ハイヒールシューズ１０のかかと１２はウェッジヒール２０内に隠され、着脱式ウェッジヒール２０がかかととしての機能を果たすようになり、前記ハイヒールシューズ１０は、ウェッジヒールシューズの形態に変形される。この際、着脱式ウェッジヒール２０の上部傾斜面は、ハイヒールシューズ１０の傾斜した靴底１４（図１参照）に接し、着脱式ウェッジヒール２０の広い底面は地面に広い表面積で接触する。前記着脱式ウェッジヒール２０は、ハイヒールシューズ１０のかかと１２とつま先との間の全空間を満たす。これにより、前記着脱式ウェッジヒール２０は、着用者に履き心地の良さを与えることができる。
【００２３】
また、前記着脱式ウェッジヒール２０は、ラテックス、ゲル、コルクおよび／またはポリウレタンなどの緩衝性に優れた粘弾性材料からなることで、着用者にさらなる履き心地の良さを与えることができる。
【００２４】
図３および図４を参照すると、本発明の一実施例による着脱式ウェッジヒール２０は、後側から前側に向かって傾斜して低くなっていく上部傾斜面２０ａと、前記上部傾斜面２０ａの下部と交差して地面に接触するように設けられた底面２０ｂと、を含む。
【００２５】
また、前記着脱式ウェッジヒール２０は、前記上部傾斜面２０ａの上部から前記底面２０ｂに向かって略垂直に深く形成されたかかと挿入孔２２と、前記上部傾斜面２０ａの下部の両側面に設けられた一対の固定クリップ２４と、前記上部傾斜面２０ａに設けられた複数の滑り止め部２６と、を含む。また、前記着脱式ウェッジヒール２０は、全般的に粘弾性材料からなり、側面には麗しいデザインまたは色を演出するために剛性カバー２７を貼り付けることができる。
【００２６】
前記剛性カバー２７の材料としてはプラスチック材料が好ましいが、金属などの他の材料が用いられてもよい。剛性カバー２７を用いる場合にも前記着脱式ウェッジヒール２０の底面に隣接する一部の高さ領域２８は、粘弾性または圧縮性の材料を露出することが好ましい。
【００２７】
前記かかと挿入孔２２には前記ハイヒールシューズ１０のかかと１２（図１および図２参照）がぴったりと嵌合される。これは、前記かかと挿入孔２２の深さの全体にわたり前記かかと１２が前記かかと挿入孔２２にぴったりと嵌合されることは言うまでもなく、前記かかと挿入孔２２の深さの一部の区間のみで前記かかと１２が前記かかと挿入孔２２にぴったりと嵌合されることも意味する。
【００２８】
このために、少なくとも前記かかと挿入孔２２の深さの一部の区間において、前記かかと挿入孔２２の大きさは前記かかと１２の大きさより若干小さいことが好ましい。この場合、ハイヒールのかかと１２が前記かかと挿入孔２２に挿入される際、前記かかと挿入孔２２の周辺が弾性的に圧縮され、前記かかと挿入孔２２の内面が前記かかと１２の表面に強く密着する。少なくとも前記かかと挿入孔２２の周辺が粘弾性材質からなると、前記かかと１２の挿入の際に前記かかと挿入孔２２の周辺が弾性的に変形されることができる。
【００２９】
前記かかと挿入孔２２の深さは、ハイヒールシューズ１０のかかと１２の高さより大きく形成される。また、前記かかと挿入孔２２は、下部が塞がった構造であってもよく、その代わりに下部が開放された貫通構造であってもよい。
【００３０】
前記一対の固定クリップ２４は、前記傾斜面２０ａの下部の両側面に設けられて、ハイヒールシューズ１０（図１および図２参照）の両側面に接してかみ合う。該一対の固定クリップ２４は、前記着脱式ウェッジヒール２０がハイヒールシューズ１０に対して回転方向に捩れることを抑制するために提供される。挿入孔２２に対するかかと１２の密着挿入などだけでウェッジヒール２０の捩れが抑制される場合、前記固定クリップ２４を省略することも考えられる。前記固定クリップ２４は、ハイヒールシューズ１０のデザインに対する影響を最小化するために透明材料からなることが好ましい。
【００３１】
前記滑り止め部２６は、板状に作製されて前記上部傾斜面２０ａ上に貼り付けられる。滑り防止性に優れたシリコーンなどの材料で前記滑り止め部２６が形成されることができる。本実施例では、前記滑り止め部２６が複数提供されるが、一つの滑り止め部２６が用いられてもよく、この場合、前記滑り止め部２６は、細長い形状を有した状態で前記上部傾斜面２０ａに長く貼り付けられることができる。
【００３２】
上述のウェッジヒール２０は、それを専門に取り扱う販売店で加工されて販売されることができる。この際、消費者が履いているハイヒールシューズに合わせてウェッジヒールを加工するウェッジヒールのカスタマイズ方法が、以下の実施例のように提供されることができる。
【００３３】
本発明の一実施例による着脱式ウェッジヒールのカスタマイズ方法は、図５に示されたように、ウェッジヒール半製品の準備工程（Ｐ１）と、ハイヒールシューズの形状認識工程（Ｐ２）と、半製品の加工工程（Ｐ３）と、を含む。また、前記半製品の加工工程（Ｐ３）は、表面加工工程（Ｐ３１）と、挿入孔加工工程（Ｐ３２）と、を含むことができる。前記着脱式ウェッジヒールのカスタマイズ方法は、自動化機器によって行われてもよく、作業者または熟練者によって行われてもよい。
【００３４】
本実施例では、主に、自動化機器によるウェッジヒールのカスタマイズ方法について説明しているが、これにより作業者の手作業によるカスタマイズ方法が排除されないことを留意すべきである。
【００３５】
前記ウェッジヒール半製品の準備工程（Ｐ１）では、ウェッジヒールの半製品が予め用意される。この際、前記半製品は、図６（ａ）に示されたように、ウェッジヒールの基本的な形状および基本的な挿入孔を含んでいなくてもよく、図６（ｂ）に示されたように、ウェッジヒールの基本的な形状を有し、且つ基本的な挿入孔を含んでいなくてもよく、図６（ｃ）に示されたように、ウェッジヒールの基本的な形状を有さず、且つ基本的な挿入孔を含んでいてもよく、図６（ｄ）に示されたように、ウェッジヒールの基本的な形状と基本的な挿入孔の両方を含んでいてもよい。
【００３６】
前記ハイヒールシューズの形状認識工程（Ｐ２）では、ハイヒールシューズの傾斜した靴底の形状および大きさ、および／またはかかとの形状および大きさが認識される。手作業の場合には、作業者または熟練者によって肉眼で形状が認識されるが、自動化機器を利用する場合には、公知の三次元形状認識プログラムを用いてハイヒールシューズの形状が認識されることができる。認識された形状の情報、すなわち、ハイヒールシューズの傾斜した靴底の形状および大きさと、かかとの形状および大きさは、三次元座標情報としてコンピュータまたは自動化機器のメモリに格納される。
【００３７】
上述したように、前記半製品の加工工程（Ｐ３）は、ウェッジヒールの表面加工工程（Ｐ３１）と、挿入孔加工工程（Ｐ３２）と、を含むことができ、前記表面加工工程（Ｐ３１）は、例えば、レーザなどの手段により前記半製品の表面を加工する方式で行われる。この際、上述したように認識および格納された三次元座標情報によって自動で表面加工が行われることができる。半製品に応じて表面加工の程度は異なってもよく、図６（ａ）に示された半製品を利用する際にはウェッジヒールの基本的な形状を作製する加工がまず行われなければならず、図６（ｂ）および図６（ｄ）に示された半製品を利用する際にはウェッジヒールが基本的な形状を備えているため、ハイヒールシューズの傾斜した靴底の形状に対応してウェッジヒールの上部傾斜面などを微調整する表面加工だけでも充分である。
【００３８】
前記挿入孔加工工程（Ｐ３２）は、半製品に予め形成された基本的な挿入孔の大きさおよび形状を調節して前記ハイヒールシューズのかかとに合わせる方式で行われることができる。かかと挿入孔は、ハイヒールシューズのかかとに弾性的に変形されて密着して挿入されるため、予め作製した基本的な形状をそのまま利用してもよい。必要な場合に限って、前記挿入孔を拡張する方式でかかと挿入孔の加工が行われる。表面加工工程（Ｐ３１）が自動化機器によって行われるとしても、挿入孔加工工程（Ｐ３２）もまた必ずしも自動化機器によって行われる必要はない。
【００３９】
基本的な挿入孔も形成されていない、図６（ａ）および（ｂ）に示されたような半製品を利用する場合、かかと挿入孔を形成することもまた前記挿入孔加工工程（Ｐ３２）に含まれる。
【図１】
0005782567.tif 000002
【図２】
0005782567.tif 000003
【図３】
0005782567.tif 000004
【図４】
0005782567.tif 000005
【図５】
0005782567.tif 000006
【図６（ａ）】
0005782567.tif 000007
【図６（ｂ）】
0005782567.tif 000008
【図６（ｃ）】
0005782567.tif 000009
【図６（ｄ）】
0005782567.tif 000010